(57)【要約】【課題】機種変更等により電話番号が変更になった顧客を代行し、通信事業者が電話番号変更の通知を同報する電話番号通知システムおよび電話番号通知方法を提供する。【解決手段】携帯電話１２の電話帳に記憶された複数の相手先情報を読取るとともに、該携帯電話加入者の新電話番号と旧電話番号を入力する電話帳読取装置１４と、送信装置１８とからなり、送信装置１８は公衆網２０に接続される。送信装置１８は、電話帳読取装置１４から相手先情報および新電話番号と旧電話番号を受信し、新電話番号と旧電話番号とから電話番号変更の通知を示す送信データを作成する。この送信データを発呼側の発番号情報として、相手先情報に基づいて、順次相手先に送信する。【選択図】　　　図１
2004023485.tif 000002
【特許請求の範囲】
【請求項１】
携帯電話の電話帳に記憶された複数の相手先情報を読取るとともに、該携帯電話加入者の新電話番号と旧電話番号が入力される電話帳読取装置と、送信装置とからなる電話番号通知システムであって、
前記送信装置は、電話帳読取装置から相手先情報および新電話番号と旧電話番号を受信して記憶する相手先情報記憶部および新旧電話番号記憶部と、
新旧電話番号記憶部に記憶された新電話番号と旧電話番号とから電話番号変更の通知を示す送信データを作成する送信データ作成部と、
前記送信データ作成部により作成された送信データを発呼側の発番号情報として、前記相手先情報に基づいて、順次、相手先に送信する送信制御部と、
からなり、前記電話帳から読取った相手先に、順次電話番号変更の通知を送信することを特徴とする電話番号通知システム。
【請求項２】
前記送信データは、新電話番号と、電話番号変更の通知であることを示す予め設定された符号と、旧電話番号の組から構成することを特徴とする請求項１に記載の電話番号通知システム。
【請求項３】
前記相手先情報は、携帯電話加入者が電話帳に記憶した相手先の電話番号であることを特徴とする請求項１に記載の電話番号通知システム。
【請求項４】
前記相手先情報は、携帯電話加入者が電話帳に記憶した相手先のメールアドレスであることを特徴とする請求項１に記載の電話番号通知システム。
【請求項５】
前記電話帳読取装置は、読取った相手先情報毎に、電話番号変更通知を行うか否かを識別する識別符号を入力する操作部を備え、前記送信装置の相手先情報記憶部は該識別符号を含む相手先情報を記憶し、該識別符号に基づいて電話番号通知を行うべき相手先に、順次電話番号変更の通知を送信することを特徴とする請求項１に記載の電話番号通知システム。
【請求項６】
電話帳読取装置により携帯電話から読取った相手先情報に基づいて、送信装置により、電話番号変更の通知を送信する電話番号通知方法であって、
電話帳読取装置により携帯電話の電話帳に記憶された複数の相手先情報を読取るとともに、該携帯電話加入者の新電話番号と旧電話番号を入力するステップと、
前記電話帳読取装置から読取った相手先情報および新電話番号と旧電話番号を受信し、相手先情報記憶部および新旧電話番号記憶部に記憶するステップと、
新旧電話番号記憶部に記憶された新電話番号と旧電話番号とから電話番号変更の通知を示す送信データを作成するステップと、
前記送信データ作成部により作成された送信データを発呼側の発番号情報として、前記相手先情報に基づいて、順次、相手先に送信するステップと、
からなることを特徴とする電話番号通知方法。
【請求項７】
前記携帯電話の電話帳に記憶された複数の相手先情報を読取るとともに、該携帯電話加入者の新電話番号と旧電話番号を入力するステップは、更に、読取った相手先情報毎に、電話番号変更通知を行うか否かを識別する識別符号を入力するステップを含み、
前記送信データ作成部により作成された送信データを発呼側の発番号情報として、前記識別符号に基づいて、順次、相手先に送信するステップとからなることを特徴とする請求項６に記載の電話番号通知方法。
【発明の詳細な説明】
【０００１】
【発明の属する技術分野】
本発明は、携帯電話等における電話番号の通知システムおよび電話番号通知方法に関し、特に、機種変更等により電話番号が変更になった場合に、旧携帯電話の電話帳に登録されていた相手先に、変更になった新しい電話番号を通知する電話番号通知システムおよび電話番号通知方法に関するものである。
【０００２】
【従来の技術】
近年、携帯情報端末や携帯電話等の通信端末装置の発展と普及は目覚ましく、特に、携帯電話においては、通話料金や端末価格の低下と、様々なサービスの実現によって、一人一台の時代になりつつあり、若い年代層においては既に日常生活の必須アイテムとなっている。
【０００３】
そして、携帯電話においては、その基本機能である通話機能に加え、テキストデータや各種のデータフアイルを送受信する電子メール機能や、ｉモード（登録商標名）として知られるインターネット接続機能を付加したサービスなどが各通信事業者によって競って実現されており、次々と新たなサービスが開発され、その性能アップと機能アップが図られている。
【０００４】
このような背景にあって、携帯電話の所有者（加入者）には、潜在的に新しいサービスに対応する機種への買い換え需要が存在しているが、新機種に変更した場合、電話番号が変更になると、日常的に通信をしている複数の相手先に新電話番号を通知する煩雑な作業が必要になり、他の通信事業者から新たな機能を持った機種が発売されたとしても、買い換えを躊躇するという現象が見られ、通信事業者間の競争に影響を与える要因にもなっている。
【０００５】
このような問題点を解決するものとして、特開２００１−３５８８２０号公報に開示されるような電話番号の通知方式が知られている。前記の開示技術は、携帯電話に、旧の電話番号と新の電話番号を記憶し、電話帳の各通信相手の情報（電話番号、名前、電子メールアドレス等）中に、電話番号通知をするか否か指定する情報を記憶可能とし、番号通知を指定した通信相手に順次、旧電話番号と新電話番号を関連付けて通知し、受信した通信相手は必要に応じて、自身の携帯電話中の電話帳を書き換えるように構成したものである。
【０００６】
この場合に、番号の通知を行う携帯電話（新しい携帯電話）の電話帳は、旧の携帯電話の電話帳のデータを転送する既知の機能によって複写することができ、番号通知をするか否かの指定情報のみ追加入力する手間だけでよい。
【０００７】
【発明が解決しようとする課題】
しかしながら、前記の開示技術は、新たな電話番号に変更になった携帯電話の所有者が、新たに機種変更した携帯電話からメールによる通知情報を送信するものであって、通信料金の負担を伴うという問題点があり、大量の相手先に通知を行う場合には、通知の手間と、その通信料金の負担が大きなものとなり、買い換え阻害要因を完全に解消するものではなかった。
【０００８】
従って、本発明は前述の問題点を解決せんとするものであり、通信事業者が、新機種に買い換えた顧客に対するサービスとして、有償または無償、好ましくは無償で、番号通知の同報を行う電話番号通知システムおよび電話番号通知方法を提供することを課題とする。
【０００９】
【課題を解決するための手段】
前記の課題を達成するため、本発明は、携帯電話の電話帳に記憶された複数の相手先情報を読取るとともに、該携帯電話加入者の新電話番号と旧電話番号を入力する電話帳読取装置と、送信装置とからなる電話番号通知システムを構成する。
【００１０】
そして、送信装置は、電話帳読取装置から相手先情報および新電話番号と旧電話番号を受信して記憶する相手先情報記憶部および新旧電話番号記憶部と、新旧電話番号記憶部に記憶された新電話番号と旧電話番号とから電話番号変更の通知を示す送信データを作成する送信データ作成部と、送信データ作成部により作成された送信データを発呼側の発番号情報として、前記相手先情報に基づいて、順次相手先に送信する送信制御部とからなり、電話帳から読取った相手先に順次、電話番号変更の通知を送信するようになされている。
【００１１】
従って、電話番号が変更になった加入者は、電話帳読取装置により電話帳を読取らせるとともに、新旧電話番号を入力するだけの手間で、日常通話する複数の相手先に電話番号の変更通知を行うことができ、このサービスを通信事業者による無償サービスとすれば、加入者にとっては、通話料の負担なしに、電話番号変更を通知することができ、通信事業者としても買い換え需要を喚起できる。
【００１２】
電話番号を通知する相手先情報は、電話番号でもよく、また、メールアドレスでもよい。また、本発明の電話番号通知システムの他の実施形態によれば、電話帳読取装置により、相手先毎に、電話番号変更の通知をするか否かの識別符号を入力し、送信装置はこの識別符号に基づき、通知を行う相手先に順次、電話番号を通知するので、選択した相手先のみに電話番号変更を知らせることができる。
以下、本発明に係る電話番号通知システムおよび電話番号通知方法の好ましい実施形態について、添付の図面を参照して詳細に説明する。
【００１３】
【発明の実施の形態】
図１は、本発明の実施形態に係る電話番号通知システム１０の構成を示すブロック図である。本発明の電話番号通知システム１０は、加入者の所有する携帯電話１２をケーブル１６を介して接続し、携帯電話１２の電話帳に記憶された、通信相手の電話番号やメールアドレス等の相手先情報を読取る電話帳読取装置１４と、同報機能を持ち、電話帳読取装置１４で読取った相手先情報に基づいて各相手先に公衆網２０を介して、新旧の電話番号通知を送信する送信装置１８とから構成される。
【００１４】
この送信装置１８は、通信事業者が設置し、機種変更や買い換えによって電話番号が変更となる加入者に対して、加入者に代わって、新旧の電話番号通知を代行するサービスを行うものであって、この電話番号通知の代行サービスは有償であってもよいが、無償であることが望ましい。
【００１５】
携帯電話の加入者Ａが、機種変更を行いあるいは他の通信事業者の携帯電話に買い換え、電話番号が変更になった場合、加入者Ａの旧携帯電話の電話帳には、加入者Ａが日常的に通話する相手先の電話番号やメールアドレス等の相手先情報が記憶されている。通信事業者、あるいは携帯電話の販売業者は、接続ケーブル１６を介して旧携帯電話１２を電話帳読取装置１４に接続し、新旧の電話番号を入力するとともに、電話帳に記憶されている相手先情報を読取り、新旧電話番号と相手先情報を送信装置１８に送出する。
【００１６】
送信装置１８は、新旧電話番号と相手先情報を一時記憶し、新旧の電話番号を通知する送信データを用意し、相手先情報にある電話番号、メールアドレスに基づいて、公衆網２０を介して、用意した送信データを同報する。
【００１７】
電話帳読取装置１４は、図２のブロック図に示されるように、表示部２２、記憶部２３、制御部２４、操作部２５と、携帯電話１２および送信装置１８と情報を送信、受信する入出力インターフェース部２６とから構成されている。機種変更を行いあるいは他の通信事業者の携帯電話に買い換え、電話番号が変更になった場合、加入者Ａの要請によって、通信事業者あるいは携帯電話の販売業者は、先ず、加入者Ａの旧携帯電話１２を電話帳読取装置１４に接続ケーブル１６を介して接続し、操作部２５から電話帳読取りを指示する。制御部２４はこの指示に基づいて、入出力インターフェース部２６を介して、携帯電話１２に記憶されている電話帳から相手先情報を読取り、記憶部２３に記憶する。
【００１８】
次いで、加入者Ａは、操作部２５から表示を指示し、記憶部２３に記憶された電話帳の相手先情報を表示部２２に表示し、操作部２５から相手先毎に電話番号通知をするか否かを識別する符号を入力し、また、通知する新電話番号と、旧電話番号を入力する。入力された新電話番号と旧電話番号は、記憶部２３に記憶され、操作部２５から電話番号通知の指示を行うと、記憶部２３に記憶された新電話番号と旧電話番号および番号通知を行う相手先情報が入出力インターフェース部２６を介して送信装置１８に送出される。
【００１９】
電話帳に記憶された相手方全てに変更通知を送る場合は、通知可否の識別符号入力は、自動的に全て通知可が入力されるようにしてもよい。また、携帯電話に加入者自身の情報として電話番号が記憶されている場合、旧電話番号は、必ずしも操作部２５から入力する必要はなく、電話帳の読取時に、携帯電話１２に記憶されている加入者自身の情報から旧電話番号を入力する構成にすることも可能である。
【００２０】
図３は、記憶部２３に記憶された相手先情報の一例を示す図であり、名前、電話番号、メールアドレスは、携帯電話の電話帳から読取られた相手先情報であり、新番号通知は、相手先毎に番号通知をするか否かを示す符号であり、番号通知をする場合はＯＮ（１）、番号通知しない場合はＯＦＦ（０）を操作部２５から入力し、記憶部２３に記憶したものである。
【００２１】
送信装置１８は、図４に示すように、送信アドレス記憶部３２、送信制御部３４、送信データ作成部３６、新旧電話番号記憶部３８とから構成される。電話帳読取装置１４から送信された新電話番号、旧電話番号は新旧電話番号記憶部３８に記憶され、電話番号通知を行う相手先情報は送信先アドレス記憶部３２に記憶される。送信データ作成部３６は、電話番号通知データを作成し、送信制御部３４は、送信先アドレス記憶部３２から順次、送信先の電話番号またはメールアドレスを読出し、送信データ作成部３６で作成された電話番号通知データを送信する。
【００２２】
電話番号通知データは、例えば、通常の通話における発番号フレームの２４桁を利用して送信することができる。図５は、通常の通話におけるフレームの構成を示す図であり、（Ａ）は送信フレームのデータ項目を示す図、（Ｂ）は発番号フレームに挿入される番号通知データの構成を示す図である。すなわち、通常の通話では、図５（Ａ）に示すように、送信データのフレーム構成は、プロトコル識別子、呼番号、発番号、発サブアドレス、着番号、着サブアドレス、メッセージ種別等の制御フレームに引き続き、通話データが送信される。
【００２３】
この発番号フレームの２４桁に、図５（Ｂ）に示すように１１桁の「新電話番号」、「符合」、１１桁の「旧電話番号」を番号通知データとして挿入し、送信するものである。「符号」は電話番号に変更があったことを示す符号であって、１桁あるいは２桁の任意の記号を用いることができる。
【００２４】
なお、この場合、送信フレーム中の網検証識別子（図示していない）の２桁は「１１」の「網投入」とし、着信加入者への発番号転送と、通信事業者側における投入電話番号の検証を得るようにすればよい。また、通話データとしては、必ずしも電話番号の変更を伝えるメッセージ本文を必要としないが、相手先が応答した場合は、電話番号の変更の通知であることを伝えるメッセージ本文をアナウンスするようにしてもよい。送信方法が相手先の呼び出しのみの場合は、相手先に着信履歴として発番号を残すだけであって、必ずしも電話番号の変更の通知であることを伝えるメッセージ本文を必要としない。
【００２５】
また、本発明の実施形態において、電話帳は旧携帯電話から読取る構成としたが、旧携帯電話の電話帳が新携帯電話にコピー済みである場合には、新携帯電話から読取る構成としてもよく、また、個人情報の保護の観点から、電話帳読取装置、送信装置は、電話番号の通知処理を完了した後、携帯電話から読取った電話帳の相手先情報等は自動的に削除する構成にすることが望ましい。
【００２６】
【発明の効果】
以上説明したように、本発明に係る電話番号通知システムおよび電話番号通知方法によれば、携帯電話の電話帳に記憶された複数の相手先情報を読取るとともに、該携帯電話加入者の新電話番号と旧電話番号を入力する電話帳読取装置と、送信装置とからなる電話番号変更通知システムを構成する。
【００２７】
そして、前記送信装置は、電話帳読取装置から相手先情報および新電話番号と旧電話番号を受信して記憶する相手先情報記憶部および新旧電話番号記憶部と、新旧電話番号記憶部に記憶された新電話番号と旧電話番号とから電話番号変更の通知を示す送信データを作成する送信データ作成部と、送信データ作成部により作成された送信データを発呼側の発番号情報として、前記相手先情報に基づいて、順次該相手先に送信する送信制御部とからなり、電話帳から読取った相手先に順次、電話番号変更の通知を送信する。
【００２８】
従って、電話番号が変更になった加入者は、電話帳読取装置により電話帳を読取らせるとともに、新旧電話番号を入力するだけの手間で、日常的に通話する複数の相手先に電話番号の変更の通知を行うことができ、このサービスを通信事業者による無償サービスとすれば、加入者にとっては、通話料の負担なしに、電話番号変更の通知ができ、通信事業者としても、買い換えを阻害している要因を解消でき、買い換え需要を喚起することができる。
【図面の簡単な説明】
【図１】本発明の実施形態に係る電話番号通知システムの構成を示す図である。
【図２】電話帳読取装置の構成を示すブロック図である。
【図３】電話帳読取装置の記憶部に記憶される相手先情報の構成を示す図である。
【図４】送信装置の構成を示すブロック図である。
【図５】送信装置で作成される番号通知データの構成を説明するための図であり、（Ａ）は通常の通話における送信データのフレーム構成、（Ｂ）は発番号フレームの２４桁に挿入される電話番号通知データの構成を示す図である。
【符号の説明】
１０…電話番号通知システム　　　　　１２…携帯電話
１４…電話帳読取装置　　　　　　　　１６…接続ケーブル
１８…送信装置　　　　　　　　　　　２０…公衆網
２２…表示部　　　　　　　　　　　　２３…記憶部
２４…制御部　　　　　　　　　　　　２５…操作部
２６…入出力インターフェース部　　　３２…送信先アドレス記憶部
３４…送信制御部　　　　　　　　　　３６…送信データ作成部
３８…新旧電話番号記憶部
【図１】
2004023485.tif 000003
【図２】
2004023485.tif 000004
【図３】
2004023485.tif 000005
【図４】
2004023485.tif 000006
【図５】
2004023485.tif 000007